(57)【要約】【課題】  バッテリ残量を管理しつつバッテリ残量の範囲内で録画品質を高く保ち、且つ必要とされる所定時間の録画を可能とする携帯型記録装置を実現する。【解決手段】  標準モード、高圧縮モード、高圧縮歪抑圧モードで符号化する圧縮符号化手段３と、バッテリ残量を検出するバッテリ残量検出手段４１と、媒体空き容量を検出する空き容量検出手段４２と、符号化信号の符号量と媒体空き容量とを比較する符号量推定手段４３と、高圧縮歪抑圧モード符号化時の電力量と記録時電力量とバッテリ残量とを比較する電力量検出手段４４と、標準符号量が空きデータ量を越えない場合は標準モードで、標準符号量は空きデータ量を越えバッテリ残量は符号化記録時電力量未満の場合は高圧縮モードで、標準符号量は空きデータ量を越えバッテリ残量は符号化記録時電力量以上の場合は高圧縮歪抑圧モードで行わせる符号化モード選択部３１４とを備えて実現した。【選択図】      図１
2008054011.tif 000002
【特許請求の範囲】
【請求項１】
供給される動画信号を選択された符号化モードで符号化して記録媒体に記録する携帯型記録装置において、
前記動画信号を所定の符号化レートで符号化する標準モード、前記標準モードよりも低レートで符号化する高圧縮モード、及び前記高圧縮モードで符号化すると共に符号化時に生じる歪をフィルタ除去する高圧縮歪抑圧モードのうち選択されたモードで符号化して圧縮符号化信号を得る圧縮符号化手段と、
内蔵するバッテリの残量を検出するバッテリ残量検出手段と、
前記記録媒体の空きデータ量を検出する空き容量検出手段と、
外部から設定される所定期間に前記供給される動画信号を前記標準モードで符号化した際に得られる圧縮符号化信号の標準符号量と前記空き容量検出手段で検出された空きデータ量とを比較し前記標準符号量は前記空きデータ量を越えるか否かを推定する符号量推定手段と、
前記外部から設定される所定期間に供給される動画信号を前記高圧縮歪抑圧モードで符号化する際に必要な電力量と前記所定期間に前記高圧縮歪抑圧モードで符号化して得られる圧縮符号化信号を前記記録媒体に記録する際に必要な電力量とを加算した符号化記録時電力量と、前記バッテリ残量検出手段で検出されたバッテリ残量とを比較し、前記バッテリ残量は前記符号化記録時電力量以上であるか否かを検出する電力量検出手段と、
前記符号量推定手段により前記標準符号量は前記空きデータ量を越えていないとして推定される場合は前記圧縮符号化手段による符号化を前記標準モードで行わせ、前記符号量推定手段により前記標準符号量は前記空きデータ量を越えているとして推定され、且つ前記電力量検出手段により前記バッテリ残量は前記符号化記録時電力量未満であるとして検出された場合は前記圧縮符号化手段による符号化を前記高圧縮モードで行わせ、前記符号量推定手段により前記標準符号量は前記空きデータ量を越えているとして推定され、且つ前記電力量検出手段により前記バッテリ残量は前記符号化記録時電力量以上であるとして検出された場合は前記圧縮符号化手段による符号化を前記高圧縮歪抑圧モードで行わせる符号化モード選択手段と、
前記符号化モード選択手段で選択される符号化モードにおいて前記圧縮符号化手段で符号化して得られる圧縮符号化信号を前記記録媒体に記録する記録部と、
を備えることを特徴とする携帯型記録装置。
【発明の詳細な説明】
【技術分野】
【０００１】
本発明は、装置を駆動するバッテリを搭載し、映像信号を符号化してディスク状記録媒体に省電力記録する携帯型記録装置に関する。
【背景技術】
【０００２】
最近になり、記録媒体としてＤＶＤなどのディスク状記録媒体を用いるＤＶＤカメラ装置などが製品化されるようになってきた。撮影される映像信号を符号化してディスク状記録媒体に記録すると共に、ランダムアクセスしながら再生できるなど便利な機能を有している。
一方、その携帯型記録装置は撮影用カメラ、映像処理回路、及び記録部をバッテリ駆動で動作している。装置を軽量化するため比較的小型なバッテリが用いられる。バッテリに蓄えられる電力量を有効に用い、且つ目的の映像信号を可能な限り高画質で記録媒体に高能率記録できることは好ましい。
【０００３】
特許文献１には、記録時に必要な機能が全て動作可能な通常記録モードと、動作を制限する機能を設定する省エネモードとの何れかを選択可能としたカメラ一体型ＶＴＲの省エネ型記録装置が開示されている。その装置は、ビデオカメラから得られた動画像を記録媒体に記録する際に、記録時に必要な機能が全て動作可能な状態の通常記録モードと、前記機能を制限するものの長時間にわたり記録可能な省エネモードとの何れかを選択できるようにしている。
【特許文献１】特開２００１−２７５０２７号公報
【発明の開示】
【発明が解決しようとする課題】
【０００４】
しかしながら、特許文献１に開示されているカメラ一体型ＶＴＲの省エネ型記録装置では、記録時に必要な機能の全てを用いて通常画質でバッテリ残量の電力に応じた時間だけ記録を行うか、又は記録時に必要な機能を制限し所定時間の記録を行うかのいずれかでしか動作させることは出来ない。バッテリ残量を管理しつつバッテリに蓄積される電気量の範囲内で録画品質を高く保って記録することのできる携帯型記録装置を実現することはできなかった。
【０００５】
そこで、本発明は、上記のような問題点を解消するためになされたもので、バッテリ残量を管理しつつバッテリ残量の範囲内で録画品質を高く保ち、且つ必要とされる所定時間の録画を可能とする携帯型記録装置を提供することを目的とする。
【課題を解決するための手段】
【０００６】
本願発明における第１の発明は、供給される動画信号を選択された符号化モードで符号化して記録媒体に記録する携帯型記録装置において、前記動画信号を所定の符号化レートで符号化する標準モード、前記標準モードよりも低レートで符号化する高圧縮モード、及び前記高圧縮モードで符号化すると共に符号化時に生じる歪をフィルタ除去する高圧縮歪抑圧モードのうち選択されたモードで符号化して圧縮符号化信号を得る圧縮符号化手段と、内蔵するバッテリの残量を検出するバッテリ残量検出手段と、前記記録媒体の空きデータ量を検出する空き容量検出手段と、外部から設定される所定期間に前記供給される動画信号を前記標準モードで符号化した際に得られる圧縮符号化信号の標準符号量と前記空き容量検出手段で検出された空きデータ量とを比較し前記標準符号量は前記空きデータ量を越えるか否かを推定する符号量推定手段と、前記外部から設定される所定期間に供給される動画信号を前記高圧縮歪抑圧モードで符号化する際に必要な電力量と前記所定期間に前記高圧縮歪抑圧モードで符号化して得られる圧縮符号化信号を前記記録媒体に記録する際に必要な電力量とを加算した符号化記録時電力量と、前記バッテリ残量検出手段で検出されたバッテリ残量とを比較し、前記バッテリ残量は前記符号化記録時電力量以上であるか否かを検出する電力量検出手段と、前記符号量推定手段により前記標準符号量は前記空きデータ量を越えていないとして推定される場合は前記圧縮符号化手段による符号化を前記標準モードで行わせ、前記符号量推定手段により前記標準符号量は前記空きデータ量を越えているとして推定され、且つ前記電力量検出手段により前記バッテリ残量は前記符号化記録時電力量未満であるとして検出された場合は前記圧縮符号化手段による符号化を前記高圧縮モードで行わせ、前記符号量推定手段により前記標準符号量は前記空きデータ量を越えているとして推定され、且つ前記電力量検出手段により前記バッテリ残量は前記符号化記録時電力量以上であるとして検出された場合は前記圧縮符号化手段による符号化を前記高圧縮歪抑圧モードで行わせる符号化モード選択手段と、前記符号化モード選択手段で選択される符号化モードにおいて前記圧縮符号化手段で符号化して得られる圧縮符号化信号を前記記録媒体に記録する記録部と、を備えることを特徴とする携帯型記録装置を提供する。
【発明の効果】
【０００７】
本発明によれば、動画信号を所定の符号化レートで符号化する標準モード、標準モードよりも低レートで符号化する高圧縮モード、及び高圧縮モードで符号化すると共に符号化時に生じる歪をフィルタ除去する高圧縮歪抑圧モードのうち選択されたモードで符号化して圧縮符号化信号を得る圧縮符号化手段と、内蔵するバッテリの残量を検出するバッテリ残量検出手段と、記録媒体の空きデータ量を検出する空き容量検出手段と、外部から設定される所定期間に供給される動画信号を標準モードで符号化した際に得られる圧縮符号化信号の標準符号量と空き容量検出手段で検出された空きデータ量とを比較し標準符号量は空きデータ量を越えるか否かを推定する符号量推定手段と、外部から設定される所定期間に供給される動画信号を高圧縮歪抑圧モードで符号化する際に必要な電力量と所定期間に高圧縮歪抑圧モードで符号化して得られる圧縮符号化信号を記録媒体に記録する際に必要な電力量とを加算した符号化記録時電力量と、バッテリ残量検出手段で検出されたバッテリ残量とを比較し、バッテリ残量は符号化記録時電力量以上であるか否かを検出する電力量検出手段と、符号量推定手段により標準符号量は空きデータ量を越えていないとして推定される場合は圧縮符号化手段による符号化を標準モードで行わせ、符号量推定手段により標準符号量は空きデータ量を越えているとして推定され、且つ電力量検出手段によりバッテリ残量は符号化記録時電力量未満であるとして検出された場合は圧縮符号化手段による符号化を高圧縮モードで行わせ、符号量推定手段により標準符号量は空きデータ量を越えているとして推定され、且つ電力量検出手段によりバッテリ残量は符号化記録時電力量以上であるとして検出された場合は圧縮符号化手段による符号化を高圧縮歪抑圧モードで行わせる符号化モード選択手段と、符号化モード選択手段で選択される符号化モードにおいて圧縮符号化手段で符号化して得られる圧縮符号化信号を記録媒体に記録する記録部とを有する格別な構成があるので、バッテリ残量を管理しつつバッテリ残量の範囲内で録画品質を高く保ち、且つ必要とされる所定時間の録画を可能とする携帯型記録装置を実現できる。
【発明を実施するための最良の形態】
【０００８】
以下に本発明の実施例に係る携帯型記録装置について図１〜図６を用いて説明する。
図１は、本発明の実施に係る携帯型記録装置の構成例を示すブロック図である。図２は、本発明の実施に係る携帯型記録装置の要部の構成例を示すブロック図である。図３は、本発明の実施に係る携帯型記録装置の符号化動作を説明するための図である。図４は、本発明の実施に係る携帯型記録装置の記録動作を説明するための図である。図５は、本発明の実施に係る携帯型記録装置の動作をフローチャートで示した図（その１）である。図６は、本発明の実施に係る携帯型記録装置の動作をフローチャートで示した図（その２）である。
【０００９】
その携帯型記録装置はバッテリ残量を管理しつつバッテリ残量の範囲内で録画品質を高く保ち、且つ必要とされる所定時間の録画を可能とする携帯型記録装置を実現するという目的を、動画信号を所定の符号化レートで符号化する標準モード、標準モードよりも低レートで符号化する高圧縮モード、及び高圧縮モードで符号化すると共に符号化時に生じる歪をフィルタ除去する高圧縮歪抑圧モードのうち選択されたモードで符号化して圧縮符号化信号を得る圧縮符号化手段と、内蔵するバッテリの残量を検出するバッテリ残量検出手段と、記録媒体の空きデータ量を検出する空き容量検出手段と、外部から設定される所定期間に供給される動画信号を標準モードで符号化した際に得られる圧縮符号化信号の標準符号量と空き容量検出手段で検出された空きデータ量とを比較し標準符号量は空きデータ量を越えるか否かを推定する符号量推定手段と、外部から設定される所定期間に供給される動画信号を高圧縮歪抑圧モードで符号化する際に必要な電力量と所定期間に高圧縮歪抑圧モードで符号化して得られる圧縮符号化信号を記録媒体に記録する際に必要な電力量とを加算した符号化記録時電力量と、バッテリ残量検出手段で検出されたバッテリ残量とを比較し、バッテリ残量は符号化記録時電力量以上であるか否かを検出する電力量検出手段と、符号量推定手段により標準符号量は空きデータ量を越えていないとして推定される場合は圧縮符号化手段による符号化を標準モードで行わせ、符号量推定手段により標準符号量は空きデータ量を越えているとして推定され、且つ電力量検出手段によりバッテリ残量は符号化記録時電力量未満であるとして検出された場合は圧縮符号化手段による符号化を高圧縮モードで行わせ、符号量推定手段により標準符号量は空きデータ量を越えているとして推定され、且つ電力量検出手段によりバッテリ残量は符号化記録時電力量以上であるとして検出された場合は圧縮符号化手段による符号化を高圧縮歪抑圧モードで行わせる符号化モード選択手段と、符号化モード選択手段で選択される符号化モードにおいて圧縮符号化手段で符号化して得られる圧縮符号化信号を記録媒体に記録する記録部とを備えるようにして実現した。
【００１０】
携帯型記録装置の構成について述べる。
図１に示す携帯型記録装置１０は、カメラ部１と、モニタ用液晶パネル部２と、画像符号化部３１、及び音声符号化部３２よりなる画像音声処理部３と、電力量管理部４１、媒体残量管理部４２、符号量推定部４３、電力量算出部４４、記録モード切替部４５、及び制御部４９よりなるシステムコントローラ４と、シスコン部５１、サーボ部５２、光ピックアップ（ＰＵ）部５３、光ディスク５４、及びスピンドルモータ部５５よりなる光ディスク装置部５と、操作部６と、バッテリ７１を格納する電源部７とより構成される。
図２に示す携帯型記録装置１０の要部である画像音声処理部３の画像符号化部３１は、標準動画符号化部３１１、高能率化符号化補助部３１２、符号化歪低減フィルタ部３１３、及び符号化モード選択部３１４より構成される。
【００１１】
携帯型記録装置の動作について述べる。
まず、操作部６が操作されて携帯型記録装置１０で記録動作を開始する際に、システムコントローラ４の制御部４９はモニタ用液晶パネル部２に必要な記録時間の入力を求める画面を提示する。次に、システムコントローラ４の媒体残量管理部４２は、画像音声処理部３を標準モードで動作させて生成される符号化信号を記録するために必要な光ディスク５４の残量があるかを検出する。光ディスク５４の残量が十分であると検出される場合には、カメラ部１で撮像して得られる映像信号を画像音声処理部３で標準モードにより符号化し、得られる符号化信号を光ディスク装置部５のシスコン部５１に供給する。シスコン部５１には図示しない記憶部があり、供給された符号化信号を一時記憶する。記憶部に記憶される符号化信号のデータ量が所定量に達したとして検出される場合に、サーボ部５２はスピンドルモータ部５５に結合される光ディスク５４を回転させ、光ピックアップ部５３から出力されるレーザ光を光ディスク５４の所定のトラックにトラッキング調整し、フォーカス調整を行う。記憶部に記憶された符号化信号を光ディスク５４に記録する。記録の後にスピンドルモータ部５５に供給する電力を断とすると共に光ピックアップ部５３へ供給する電力を断とし、トラッキングサーボも断とし、光ディスク装置部５はパワーセーブ期間となる。
【００１２】
記憶部に記憶される符号化信号の符号量が所定量に達した場合は上記の光ディスク５４への記録準備のための復帰期間経過後に、記憶された符号化信号を光ディスク５４に記録するアクセス期間を経て、休止期間であるパワーセーブ期間の動作を繰り返して行う。通常は、アクセス期間に比してパワーセーブ期間を長く確保できるため、符号化信号の光ディスク５４への記録を低消費電力で行うことが出来る。
【００１３】
次に、光ディスク５４の残量が十分であると検出される場合について述べる。即ち、符号量推定部４３により、所定期間の映像信号を標準モードで符号化した場合の符号化信号の符号量が光ディスク５４の残量を超えるとして推定される場合には、画像符号化部３１でなされる符号化モードを高圧縮モードに変更する。符号化モードを標準モードから高圧縮モードに変更することにより符号化信号の符号量が減少するので、残量の少ない光ディスク５４への記録が可能となる。
次に、電力量算出部４４は高圧縮モードにおける消費電力を算出する。画像符号化部３１は、符号化のための演算量が増加するため消費電力は増加する。そして、ディスクに記録する符号量が減少するため、符号化信号を記録する時間を短縮できる。光ディスク装置部５でのパワーセーブ期間が長くなる。符号化のための消費電力は増加する一方記録のための消費電力は減少するため、装置全体で消費される電力はほぼ同一となる。但し、高圧縮モードで符号化された信号が記録されるため、記録信号に含まれる歪成分は増加する。
【００１４】
電力量算出部４４は、高圧縮歪圧縮モードで符号化を行う場合の消費電力を算出する。高圧縮歪抑圧モードは、高圧縮モードで符号化した場合に生じる歪成分をデブロッキングフィルタ処理により低減させながら符号化信号を生成する符号化モードである。ブロックノイズの除去された画像を参照画像として用いることにより、動き予測補償におけるブロックノイズの影響が軽減され、復号時の画質が改善される。電力量算出部４４により算出された電力量と、電力量管理部４１により得られるバッテリ７１の残量が比較される。所定期間の間、高圧縮歪抑圧モードで符号化を行うのに十分なバッテリ７１の残量がある場合には、記録モード切替部４５は符号化モードを高圧縮歪抑圧モードに切り替えるための制御信号を生成して画像音声処理部３の画像符号化部３１に供給する。
光ディスク５４の残量が少ない場合で、バッテリ７１の残量が所定量の場合は高圧縮モードにより所定期間入力される映像信号を記録し、バッテリ７１の残量が所定量を越えてある場合は高圧縮歪抑圧モードにより所定期間入力される映像信号の歪成分を抑圧しながら記録を行う。
【００１５】
次に、詳細に説明する。
図２を参照して画像符号化部３１について述べる。
カメラ部１から供給される映像信号は標準動画符号化部３１１で予め設定される標準モードによる符号化を行う。標準モードによる符号化は、例えばＭＰＥＧ（moving picture experts group）−４  ＡＶＣ（Advanced Video Coding）とか、Ｈ．２６４と呼ばれる符号化方式の中から比較的少ない演算量で所定の画質の符号化信号が得られる演算を行う符号化である。Ｈ．２６４にはフレーム内予測として９の予測モードがある。その中で標準モードは、例えば４×４の画素ブロックの垂直方向予測、水平方向予測、及び直流成分予測などの３の予測モードを用いて符号化を行う。
【００１６】
高能率化符号化補助部３１２は、例えば４×４の画素ブロックの残りの６の予測モードによるフレーム内予測符号化、さらには１６×１６画素ブロックに対する４の予測モードの符号化を行う。高能率化符号化補助部３１２は、標準モード時には電源がオフとされ、高圧縮モード、及び高圧縮歪抑圧モード時には電源が投入される。
符号化歪低減フィルタ部３１３は、例えば４×４の画素ブロックで符号化を行う際に画素ブロックの境界部分で生じる歪成分を除去するための２次元フィルタである。フィルタ強度は量子化パラメータや画素ブロックをＤＣＴ（discrete cosine transform）変換して得られるＤＣＴ係数の大きさに応じて適応的なフィルタ係数が設定される。画像信号に対する畳み込みフィルタ処理の演算量は大きく、電力消費も大きい。符号化歪低減フィルタ部３１３は、高圧縮歪抑圧モード時にのみ電源が投入される。
【００１７】
図３を参照してそれぞれの符号化モード時に生成される符号化信号の符号量と符号化時の消費電力について述べる。
同図において、横軸は符号化された信号の符号量であり、縦軸は画像符号化を行うために必要な符号化時消費電力である。（１）の標準モードは符号量が大きく、消費電力が小さな符号化モードである。（２）の高圧縮モードの符号量は例えば標準モード時の１／２と小さいが消費電力は例えば標準モード時の２倍と大きい。（３）の高圧縮歪抑圧モードの符号量は例えば高圧縮モード時と同じで小さいが消費電力は高圧縮モード時よりも大きい。（３）の高圧縮歪抑圧モードの画質は（１）の標準モード時の画質と同程度であるものの消費電力はかなり大きくなる。
【００１８】
図４を参照して光ディスク装置部５の間欠動作と消費電力について述べる。
同図において、横軸は時間であり、縦軸は光ディスク装置部５を駆動するために必要な消費電力である。（１）〜（２）はパワーセーブ期間からアクセス期間に移行するための復帰期間である。復帰期間にはスピンドルモータ部５５の起動、光ピックアップ部５３の図示しないレーザダイオードの点灯、トラッキングサーボ及びフォーカスサーボの始動のため、（ｃ）〜（ｄ）として示す大きな電力が必要とされる。（２）〜（３）はアクセス期間でありこの期間に符号化信号を光ディスク５４に記録する。（ｃ）の電力を消費する。（３）〜（４）は図示しない記憶部に記憶された符号化信号の記録終了後次の記録を開始するための復帰動作開始までのパワーセーブ期間であり、サーボ部５２、光ピックアップ部５３、及びスピンドルモータ部５５に供給される電力が断とされる期間である。（ａ）の電力が消費される。
【００１９】
ここで、間欠期間の比をＤＵＴＹとすると、ＤＵＴＹは次式で与えられる。
ＤＵＴＹ＝アクセス期間／（復帰期間＋アクセス期間＋パワーセーブ期間）
＝符号化信号の転送レート／記録信号の転送レート
間欠記録を行う場合は、ＤＵＴＹの値を小さくすることにより光ディスク装置部５の消費電力を小さく出来る。（ｂ）で示す平均消費電力は間欠記録を行わない場合の電力（ｃ）よりも小さな値の電力である。
平均消費電力をＷａｖとするとき、Ｗａｖは次式で求められる。
Ｗａｖ＝Ｗａｃ×ＤＵＴＹ＋Ｗｐｓ×（１−ＤＵＴＹ−Ｔｆｋ／Ｔａｌ）
＋Ｗｆｋ×（Ｔｆｋ／Ｔａｌ）
ここで、
Ｗａｃ＝アクセス期間消費電力        （ｃ）
Ｗｐｓ＝パワーセーブ期間消費電力    （ａ）
Ｗｆｋ＝復帰期間消費電力            ｛（ｃ）＋（ｄ）｝／２
Ｔｆｋ＝復帰期間
Ｔａｌ＝復帰期間＋アクセス期間＋パワーセーブ期間
である
【００２０】
図５を参照して携帯型記録装置１０の動作を説明する。
まず、Ｓ（ステップ）８１において、システムコントローラ４の制御部４９によりモニタ用液晶パネル部２に表示される省エネモードを使用するか否かの提示画面に対し、操作部６がＮｏとして操作された場合はＳ８２により所定期間標準モードで動作させる。Ｓ８１でＹｅｓの操作がなされた場合に、Ｓ８３で制御部４９は、電力量管理部４１、媒体残量管理部４２、符号量推定部４３、電力量算出部４４、及び記録モード切替部４５のそれぞれの動作をアクティブにする。Ｓ８４で制御部４９は、モニタ用液晶パネル部２に記録時間を設定するか否かを表示する。操作部６が操作され、設定するとして検出された場合はＳ８５で記録時間の操作結果を取得する。Ｓ８６で電力量算出部４４によりバッテリ７１の残量が設定された時間の記録が可能であるとして検出された場合にはＳ８７で入力される信号を符号化して符号化信号を得る。Ｓ８８で符号化信号は図示しない記憶部に記憶しつつ、記憶される符号化信号のデータ量が所定量に達したときに記憶部に記憶した符号化信号を高速で読出し、光ディスク５４に間欠記録する。Ｓ８４で記録時間を設定しないとして検出された場合にはＳ８７からの動作を行う。Ｓ８６でバッテリ残量が不足であるとして検出された場合、及びＳ８８の記録終了後にＳ８９で記録を終了するか否かを検出しＹｅｓの場合は終了させ、Ｎｏの場合はＳ８１からの動作を繰り返す。
【００２１】
図６を参照し、媒体の空き容量を検出しながら行う携帯型記録装置１０の動作を説明する。
まず、Ｓ９１において記録時間をセットする。Ｓ９２で、媒体残量管理部４２は光ディスク５４に確保可能な記録用空き容量を検出する。Ｓ９３で、標準モードにより符号化された符号化信号を設定された時間に渡り記録するために空き容量が十分に有るとして検出された場合は、Ｓ９４で記録モード切替部４５は画像符号化部３１の符号化モード選択部３１４に対して標準モードで符号化させるための制御を行う。符号化モード選択部３１４は高能率化符号化補助部３１２及び符号化歪低減フィルタ部３１３の電源をオフとし、標準動画符号化部３１１のみで符号化を実行させる。
【００２２】
Ｓ９３で空き容量が十分にないとして検出された場合は、Ｓ９５で電力量算出部４４は、標準モードで符号化を行う場合に必要な電力が電力量管理部４１により検出されるバッテリ７１の残量と比較検出する。バッテリ残量が十分にないとして検出される場合にはＳ９６で、記録モード切替部４５は画像符号化部３１の符号化モード選択部３１４に対して高圧縮モードで符号化させるための制御を行う。符号化モード選択部３１４は符号化歪低減フィルタ部３１３の電源をオフとし、高能率化符号化補助部３１２及び標準動画符号化部３１１の電源をオンとした符号化を実行させる。
【００２３】
Ｓ９３で空き容量が十分にないとして検出され、Ｓ９５で電力量算出部４４はバッテリ残量が十分にあるとして検出される場合は、Ｓ９７で記録モード切替部４５は高圧縮歪抑圧モードで符号化させるための制御を行う。符号化モード選択部３１４は高能率化符号化補助部３１２、標準動画符号化部３１１、及び符号化歪低減フィルタ部３１３の電源をオンとした符号化を実行させる。Ｓ９８で所定時間記録した後Ｓ９９で記録を終了するか否かを検出し、記録を終了しない場合にはＳ９２からの動作を繰り返す。
なお、画像信号の符号化はＨ．２６４を主に述べた。符号化方式は、圧縮率を高める場合に消費電力が増加するような動作を行う、他の符号化方式であっても構わない。
【００２４】
さらに、標準モードをＭＰＥＧ−２方式により、高圧縮モードをＨ．２６４により行うなど、異なる符号化方式を組み合わせて用いるようにしても良い。
また、画像信号はカメラ部から供給されるとして述べたが、受信される放送番組を録画するようにしても良い。予約録画の場合には電子番組表の情報を基に記録時間を設定させることが出来る。
そして、圧縮率の可変範囲が大きく、消費電力も大きく変得て選定できる場合には最適な圧縮率を設定することによりバッテリの残量及び媒体の残量が同時に０になるようにして、最も高い画質で所定の画像を媒体に記録することが可能となる。
【００２５】
以上のように、本実施例で示した携帯型記録装置１０によれば、動画信号を所定の符号化レートで符号化する標準モード、標準モードよりも低レートで符号化する高圧縮モード、及び高圧縮モードで符号化すると共に符号化時に生じる歪をフィルタ除去する高圧縮歪抑圧モードのうち選択されたモードで符号化して圧縮符号化信号を得る圧縮符号化手段３と、内蔵するバッテリの残量を検出するバッテリ残量検出手段４１と、記録媒体の空きデータ量を検出する空き容量検出手段４２と、外部から設定される所定期間に供給される動画信号を標準モードで符号化した際に得られる圧縮符号化信号の標準符号量と空き容量検出手段で検出された空きデータ量とを比較し標準符号量は空きデータ量を越えるか否かを推定する符号量推定手段４３と、外部から設定される所定期間に供給される動画信号を高圧縮歪抑圧モードで符号化する際に必要な電力量と所定期間に高圧縮歪抑圧モードで符号化して得られる圧縮符号化信号を記録媒体に記録する際に必要な電力量とを加算した符号化記録時電力量と、バッテリ残量検出手段で検出されたバッテリ残量とを比較し、バッテリ残量は符号化記録時電力量以上であるか否かを検出する電力量検出手段４４と、符号量推定手段により標準符号量は空きデータ量を越えていないとして推定される場合は圧縮符号化手段による符号化を標準モードで行わせ、符号量推定手段により標準符号量は空きデータ量を越えているとして推定され、且つ電力量検出手段によりバッテリ残量は符号化記録時電力量未満であるとして検出された場合は圧縮符号化手段による符号化を高圧縮モードで行わせ、符号量推定手段により標準符号量は空きデータ量を越えているとして推定され、且つ電力量検出手段によりバッテリ残量は符号化記録時電力量以上であるとして検出された場合は圧縮符号化手段による符号化を高圧縮歪抑圧モードで行わせる符号化モード選択手段３１４と、符号化モード選択手段で選択される符号化モードにおいて圧縮符号化手段で符号化して得られる圧縮符号化信号を記録媒体に記録する記録部５とを有する格別な構成があるので、バッテリ残量を管理しつつバッテリ残量の範囲内で録画品質を高く保ち、且つ必要とされる所定時間の録画を可能とする携帯型記録装置を実現できる。
【図面の簡単な説明】
【００２６】
【図１】本発明の実施に係る携帯型記録装置の構成例を示すブロック図である。
【図２】本発明の実施に係る携帯型記録装置の要部の構成例を示すブロック図である。
【図３】本発明の実施に係る携帯型記録装置の符号化動作を説明するための図である。
【図４】本発明の実施に係る携帯型記録装置の記録動作を説明するための図である。
【図５】本発明の実施に係る携帯型記録装置の動作をフローチャートで示した図（その１）である。
【図６】本発明の実施に係る携帯型記録装置の動作をフローチャートで示した図（その２）である。
【符号の説明】
【００２７】
１    カメラ部
２    モニタ用液晶パネル部
３    画像音声処理部
４    システムコントローラ
５    光ディスク装置部
６    操作部
７    電源部
１０    携帯型記録装置
３１    画像符号化部
３２    音声符号化部
４１    電力量管理部
４２    媒体残量管理部
４３    符号量推定部
４４    電力量算出部
４５    記録モード切替部
４９    制御部
５１    シスコン部
５２    サーボ部
５３    光ピックアップ部
５４    光ディスク
５５    スピンドルモータ部
７１    バッテリ
３１１    標準動画符号化部
３１２    高能率化符号化補助部
３１３    符号化歪低減フィルタ部
３１４    符号化モード選択部
【図１】
2008054011.tif 000003
【図２】
2008054011.tif 000004
【図３】
2008054011.tif 000005
【図４】
2008054011.tif 000006
【図５】
2008054011.tif 000007
【図６】
2008054011.tif 000008